(57)【要約】本発明は、面状の発熱抵抗（２）と、互いに隔たって発熱抵抗（２）に配置されている、少なくとも２つの接触領域（４、４’）とを有する発熱素子（１）に関する。接触領域（４、４’）の少なくとも１つはリッツ（６、６’）を有しており、前記リッツは比較的大きい区間（８）にわたって発熱抵抗（２）と電気的に導通接続されており、多数のフィラメントワイヤを有し、かつせいぜい弱く撚られていることが、提案される。【選択図】図１
2004522292.tif 000002
【特許請求の範囲】
【請求項１】
面状の発熱抵抗（２）と、互いに隔たって発熱抵抗（２）に配置されている、少なくとも２つの接触領域（４、４’）とを有する発熱素子（１）において、
接触領域（４、４’）の少なくとも１つはリッツ（６、６’）を有しており、前記リッツは比較的大きい区間（８）にわたって発熱抵抗（２）と電気的に導通接続され、多数のフィラメントワイヤを有し、かつせいぜい弱く撚られていることを特徴とする発熱素子。
【請求項２】
リッツ（６、６’）が発熱抵抗（２）に添接する区間（８）は、２ｃｍよりも大きく、好ましくは１０ｃｍよりも大きいことを特徴とする請求項１に記載の発熱素子。
【請求項３】
リッツ（６、６’）は、発熱抵抗（２）の延び方向にわたってほぼ完全に発熱抵抗（２）と電気的に導通接続されていることを特徴とする請求項１または２に記載の発熱素子。
【請求項４】
フィラメントワイヤの数は、少なくとも４０、好ましくは６０と１２０の間、好ましくは８０と１１０の間であることを特徴とする請求項１から３のいずれか１項に記載の発熱素子。
【請求項５】
フィラメントワイヤの直径は、１０と１００μｍの間、好ましくは４０と６０μｍの間にあることを特徴とする請求項１から４のいずれか１項に記載の発熱素子。
【請求項６】
個々のリッツ（６、６’）の代わりに、２本のリッツ（６、６’）が設けられていることを特徴とする請求項１から５のいずれか１項に記載の発熱素子。
【請求項７】
リッツ（６、６’）は、フィラメントワイヤを撚るために、その長手軸を中心に、メートル当たり最大で１０回転、好ましくはメートル当たり最大で５回転、好ましくはメートル当たり最大で１回転を有していることを特徴とする請求項１から６のいずれか１項に記載の発熱素子。
【請求項８】
フィラメントワイヤおよび／またはリッツ（６、６’）は、銀被覆を有していることを特徴とする請求項１から７のいずれか１項に記載の発熱素子。
【発明の詳細な説明】
【０００１】
本発明は、請求項１の上位概念に記載の発熱素子に関する。この分野の発熱素子は、実用対象の、ユーザーと接触する面を加熱するために利用される。
【０００２】
電気的に導通するテキスタイルを、縫いつけられた電極と接触させることが知られている。しかし、この方法は場合によっては、極めてコストを要する。
【０００３】
さらに、金属または金属化された接着バンドを面状の発熱抵抗のための電極として使用することが知られている。しかしここでは、接着接続の永続的な耐性と電極から面状の発熱抵抗への十分な電流通過の保証には、困難が伴う。
【０００４】
さらに、リベット接続が知られている。しかしこれは金属的な干渉源となる。さらに、そのリベット接続は点状の電気的接触しか仲介しない。
【０００５】
発明の対象
請求項１に記載の発熱素子は、電極から大面積で電流を面状の発熱抵抗へ導入することを可能にする。さらに、この種の固定の形成は、簡単に自動化され、従って安価である。この種の電極は、さらに、機械的な連続負荷に耐えることができる。
【０００６】
請求項２に記載の発熱素子は、電極と面状の発熱抵抗との間の良好な電流移行を特徴としている。
【０００７】
請求項３に記載の発熱素子は、供給すべき電流を発熱素子の提供される幅または長さ全体にわたって分配することを可能にする。
【０００８】
請求項４に記載の発熱素子は、電流を支持する多数のフィラメントワイヤを有しており、従って電極と面状発熱抵抗との間の大きい接触表面を有している。
【０００９】
請求項５に記載の発熱素子は、従来のリッツに比較して、フィラメントワイヤの比較的大きい直径を有している。それによって個々のワイヤの抵抗が減少される。
【００１０】
請求項６に記載の発熱素子は、材料コストを高くしすぎることなしに、供給可能な電流量の増大を許す。
【００１１】
請求項７に記載の発熱素子は、フィラメントワイヤのたかだか弱い撚りによって、リッツを発熱抵抗に大面積でぴったりと合わせることを許す。それによって接触抵抗は、著しく削減される。
【００１２】
請求項８に記載の発熱素子は、同様に接触抵抗の削減をもたらす。
【００１３】
図面
以下の説明は、本発明を実施する可能性を扱っている。これらの形態は、例としてのみ理解されるものであって、以下の図を参照している：
【００１４】
実施例の説明
図１は、本発明に基づく発熱素子１の一部を示す上面図である。発熱素子１は、バンド形状の面状発熱抵抗２を有している。発熱抵抗２の長手側に、接触領域（４、４’）が設けられている。接触領域（４、４’）は、それぞれ発熱抵抗２の長手端縁を折り返すことによって形成される。それによって各接触領域（４、４’）は、ホース形のポケットの形状を有している。
【００１５】
接触領域（４、４’）のホース形状のポケット内に、それぞれリッツ（６、６’）が設けられている。リッツ（６、６’）は、比較的大きい数のフィラメントワイヤを有している。好ましくはリッツ当たり、４０と１１０の間のフィラメントワイヤが設けられている。本実施例においては、その数は８０である。
【００１６】
フィラメントワイヤは、１０−１００μｍ、本実施例においては５０μｍの直径を有している。
【００１７】
リッツは、弱く撚られているだけである。回転の数は、好ましくは０と１０の間であって、本実施例においてはリッツの回転はメータ当たり１である。
【００１８】
フィラメントワイヤには、その導通性を高めるために銀被覆が設けられている。このことによって、リッツ（６、６’）から発熱素子２へのより簡単な電流流入が許される。
【００１９】
リッツ（６、６’）は、発熱抵抗２に沿って、その全長さにわたって延びている。それによって発熱抵抗２の長さ全体にわたって電流を発熱抵抗２へ供給することが可能である。このようにして極めて幅広で長い発熱素子が実現される。
【００２０】
リッツ（６、６’）は、接触領域（４、４’）内においてホース形状のポケット内へ単純に挿入することができる。しかしまた、さらにたとえば縫付け、接着またはリベット止めによって固定することもできる。
【００２１】
また、接触領域のホース形状のポケットは、抵抗素子の材料によって形成する代わりに、付加的に取り付けられた材料細片、たとえば接着バンドまたはベルクロテープによって形成することもできる。また、接触領域のホース形状の形態を避けることも考えられる。リッツは、片側を覆わずに抵抗素子上に取り付けることもできる。
【００２２】
個々のリッツの代わりに、各接触領域内に２本のリッツを並べて配置することもできる。それによって供給可能な電流量が単純に増大される。より大きい数のリッツも考えられるが、付加的な材料コストにより、あまり望ましくない。
【図面の簡単な説明】
【図１】
本発明に基づく発熱素子を示す上面図である。
【国際公開パンフレット】
2004522292.tif 000003
2004522292.tif 000004
2004522292.tif 000005
2004522292.tif 000006
2004522292.tif 000007
2004522292.tif 000008
2004522292.tif 000009
2004522292.tif 000010
2004522292.tif 000011
【国際公開パンフレット（コレクトバージョン）】
2004522292.tif 000012
2004522292.tif 000013
【国際調査報告】
2004522292.tif 000014
2004522292.tif 000015
2004522292.tif 000016
2004522292.tif 000017